(57)【要約】【課題】  ２つのみ針を有する計時器において、初期に意図された機能とは異なる機能をディスプレーすることを可能にする。【解決手段】  本発明は、２つのアナログタイプの針を備えた電子計時器（１）に関する。当該計時器は、時針（９）と分針（１１）を有し、時針（９）と分針（１１）は、互いに独立に動作するように構成している。時針（９）と分針（１１）は、第１の動作モードと第２の動作モードで動作するように構成している。第２の動作モードは、当該計時器が事象を検出することによってアクチュエートされるように構成している。第２の動作モードにおいて、時針（９）と分針（１１）は、第１の動作モードにおける動作モードとは異なる形態で動作するように構成している。【選択図】  図１
2018049006.tif 000002
【特許請求の範囲】
【請求項１】
２つのアナログディスプレー針を備えた電子計時器（１）であって、
当該計時器は、時針（９）と分針（１１）を有し、
前記時針（９）と前記分針（１１）は、互いに独立に動作するように構成しており、
前記時針（９）と前記分針（１１）は、第１の動作モードと第２の動作モードで動作するように構成しており、
前記第２の動作モードは、当該計時器が所定の事象を検出することによってアクチュエートされるように構成しており、
前記第２の動作モードにおいて、前記時針（９）と前記分針（１１）は、前記第１の動作モードにおける動作モードとは異なる形態で動作するように構成しており、
前記第１の動作モードにおいて、前記時針（９）は、ジャンピングする形態で時を指示し、かつ、前記分針（１１）は、スライディング又はジャンピングする形態で分を指示し、
前記第２の動作モードの後に、当該計時器（１）は、別の事象を検出した後又は所定の時間後に、前記第１の動作モードに戻るように構成している
ことを特徴とする計時器（１）。
【請求項２】
前記第２の動作モードは、制御手段（２７）のアクション又は動作を通して当該計時器（１）のユーザーがアクチュエートするように構成している
ことを特徴とする請求項１に記載の計時器（１）。
【請求項３】
前記制御手段（２７）は、当該計時器（１）の竜頭ステム（２７）を有する
ことを特徴とする請求項２に記載の計時器（１）。
【請求項４】
当該計時器（１）は、パワー源（３）を有し、
前記第２の動作モードは、当該計時器（１）がアクチュエートするように構成しており、これによって、前記パワー源（３）の寿命の終わりを検出する
ことを特徴とする請求項１に記載の計時器（１）。
【請求項５】
前記別の事象は、当該計時器（１）のユーザーが開始するアクションである
ことを特徴とする請求項１に記載の計時器（１）。
【請求項６】
前記第２の動作モードにおいて、前記時針（９）は、スライディングする形態で時間を指示し、かつ、前記分針（１１）は、ジャンピングする形態で秒を指示する
ことを特徴とする請求項１〜５のいずれかに記載の計時器（１）。
【請求項７】
前記分針（１１）は、各所定の時間間隔でジャンピングするように構成しており、
前記所定の時間間隔は、２〜１０秒であり、好ましくは、２〜５秒である
ことを特徴とする請求項６に記載の計時器（１）。
【請求項８】
前記時間間隔の継続時間は、当該計時器（１）のパワー源（３）のチャージ状態に依存している
ことを特徴とする請求項７に記載の計時器（１）。
【請求項９】
前記時間間隔は、チャージが少なくなるほどに徐々に長くなるように構成している
ことを特徴とする請求項８に記載の計時器（１）。
【請求項１０】
前記第２の動作モードにおいて、前記時針（９）及び前記分針（１１）は、重なり合っており、スライディングする形態で時間を指示する
ことを特徴とする請求項１〜５のいずれかに記載の計時器（１）。
【請求項１１】
前記第２の動作モードにおいて、前記針（９、１１）の少なくとも一方は、日付の少なくとも一部を指示する
ことを特徴とする請求項１〜５のいずれかに記載の計時器（１）。
【請求項１２】
前記第２の動作モードにおいて、前記分針（１１）は、電池の寿命の終わりを指示するように、５分のジャンピングをする
ことを特徴とする請求項１〜５のいずれかに記載の計時器（１）。
【請求項１３】
前記針の一方の針（９）は、日を指示し、
前記針の他方の針（１１）は、月を指示する
ことを特徴とする請求項１１に記載の計時器（１）。
【請求項１４】
腕時計である
ことを特徴とする請求項１〜１３のいずれかに記載の計時器（１）。
【発明の詳細な説明】
【技術分野】
【０００１】
本発明は、２つのアナログタイプの針を備えた計時器に関する。より詳細には、本発明は、２つのみ針を有する計時器であって、情報をディスプレーするために初期に意図された機能とは異なる機能を、初期にディスプレーされていた形態とは異なる形態でディスプレーすることができるような計時器に関する。
【背景技術】
【０００２】
電池駆動式の腕時計のような電子計時器が遭遇する最も重要な問題は、電池寿命が終わることである。電池寿命の終わりが近づくと、電池の電圧が減少し、これによって、計時器の動作を害してしまう。電池寿命が終わると、計時器は稼働しなくなる。いくつかの既知の手法によると、電池寿命の終わりを指示するために、所定の動作電圧を有し断続性の光信号を発する発光素子を計時器に設ける。この構成において、電池寿命の終わりの数日前に、発光素子の動作電圧よりも下に電池電圧が落ち、その発光素子を動作させることができなくなる。別の方法によると、発光素子は、通常、非アクティブ状態に維持されるが、電池電圧が所定値より下に落ちると断続性の光信号を発するようにすることができる。第１の方法では、発光素子が絶えず光信号を発するので、消費されるパワーは大きく、これによって、大きい容量の電池を用いることが必要となる。第２の方法では、電池寿命の終わりに近づくとパワー消費量が増加し、電池の消耗を早めてしまう。
【０００３】
また、２つの針のみを備えた計時器において、上記のように光信号を介して電池寿命の終わりを指示することは知られていない。一般的に、２つのインジケータ針を有する計時器では、単純な手法で電池寿命の終わりを示すことができる付加的な手段はなく、このことは課題である。
【０００４】
計時器、特に、２つの針を備えた計時器、が遭遇する別の問題として、針を容易に動作させたり、針の通常の動作方法を変えたりすることができないことがある。現状では、２つの針を備えた計時器は、時を示すための時針と、及び分を示すための分針とを有する。しかし、より柔軟な手法で針をアクチュエートさせたり動かしたりすることができると望ましい。
【発明の概要】
【発明が解決しようとする課題】
【０００５】
したがって、本発明は、アナログディスプレーを備えた電子計時器に関連する上記問題を克服することを目的とする。
【課題を解決するための手段】
【０００６】
したがって、本発明によって、下において詳細に説明するような２つのアナログディスプレー針を備えた電子計時器を提案する。
【０００７】
このために、本発明の第１の態様は、独立請求項１に記載の２つのアナログディスプレー針を備えた電子計時器に関する。
【０００８】
好ましいことに、本発明の解決手段によって、２つの針を備えたムーブメントを用いて、いくつかの機能をディスプレーすることができる計時器を作ることができる。このムーブメントは、厚みが薄く、コストが低い。このムーブメントは、３つの針を備えるムーブメントと比べて機械的部品の数が少ない。提案される計時器は、２つの針を備えた単純なムーブメントを用いて秒のオンデマンドなディスプレーを提供する。また、提案される計時器によって、２つの針を備えたムーブメントを用いて電池寿命の終わりをディスプレーすることができる。ディスプレー機能ごとにそのための針やインジケータディスクがあるような従来技術のムーブメントとは異なり、本発明は、２つの針のみで、時と分、日付及び秒をオンデマンドでディスプレーするように意図されている。
【０００９】
従属請求項において、本発明の他の態様が定められている。
【００１０】
添付の図面を参照しながら例（これに制限されない）として与えられる以下の説明を読むことで、本発明を明確に理解することができるであろう。
【図面の簡単な説明】
【００１１】
【図１】本発明の１つの実施形態に係る計時器を示す簡略図を示している。
【発明を実施するための形態】
【００１２】
以下、図１を参照しながら、本発明に係る１つの実施形態について詳細に説明する。この実施形態について、アナログディスプレーを備えた電子腕時計を前提に説明する。しかし、本発明は、腕時計のみに制限されない。針の数については、本発明の腕時計は、２つの針のみを有する。具体的には、時針として図示している第１の針と、分針として図示している秒針である。
【００１３】
図１を参照すると、腕時計１を概略的に示しており、この腕時計１は、電池によって形成される電気的なパワー源３を有し、これは、電子回路にパワーを供給し、この回路を介して、時針９をアクチュエートする第１の電気モーター７と、分針１１をアクチュエートする第２の電気モーター８とにパワーを供給する。このような状況で、これらの２つの針の動作を独立して制御することができる。前記２つの電気モーターは、例えば、ステッピングモーターであることができる。腕時計の表盤１３が針９、１１の後ろに見える。
【００１４】
電子回路は、主として、計時器タイプのマイクロプロセッサー５に関連づけられた水晶発振器（図示せず）を有する。このマイクロプロセッサー５は、モーター７、８と、電池電圧をモニタリングするモニタリング回路１５とを直接制御する。このモニタリング回路１５は、本質的に、コンパレーター１７と、基準電圧しきい値や内部抵抗しきい値などを記憶するように構成している特殊回路１９と、及びそれぞれディバイダーブリッジ抵抗と呼ばれる２つの抵抗２１及び２３とを有する。特殊回路１９は、スイス特許ＣＨ６５１９９９に記載されているものが知られている。２つの抵抗２１及び２３の接続ノード２５は、コンパレーター１７の正端子に接続している。抵抗２３の他方の端子は、接地Ｔに接続している。抵抗２１の他方の端子は、電池の正端子に接続している。コンパレーター１７の負入力は、特殊回路１９の端子に接続され、特殊回路１９の他方の端子は、接地Ｔに接続している。コンパレーター１７の出力は、マイクロプロセッサー５に接続している。
【００１５】
モニタリング回路１５は、電池電圧又は電池の内部抵抗を検出し、それを所定のしきい値と比較するように構成している。電圧又は内部抵抗の実効値が対応するしきい値に達すると、モニタリング回路１５は、マイクロプロセッサー５に適切な情報を送信する。このマイクロプロセッサー５がモーター７、８を制御する。
【００１６】
針９、１１については、本発明の腕時計１には２つの針しかないので、これらの針のために少なくとも２つの動作モードを用いる。これによって、２つの針を備える従来技術の腕時計よりも多くの情報を指示する。第１の動作モードが通常の動作モードであり、第２の動作モードか他の代替的な動作モードであると考えることができる。腕時計によって検出される事象によって、第２の動作モードがアクチュエートされる。この事象は、例えば、腕時計１の着用者ないしユーザーによって実行されるアクションによるもの、又は腕時計１の着用者によるいずれの介在も必要としない事象であることができる。第２の動作モードの後、所定の事象を検出した後又は所定の時間の経過後に、腕時計が第１の動作モードに戻るようにすることができる。
【００１７】
本発明のこの実施形態によると、通常の動作モードにて、時針９は「ジャンピング」として定義される形態で動作する。すなわち、時針９は、ジャンピングによって時を指示する。例えば、図１に示すように、１３：００から１３：５９に、時針９は表盤１３上の位置「１」に位置し、そして、１４：００から１４：５９には位置「２」に位置し、これ以降も同様である。したがって、この例において、通常の動作モードでは、時針９が毎時間１回、すなわち、１時間ごとに１回、ジャンピングすることがわかる。通常の動作モードにおいて、分針１１は、ジャンピングないしスライドする形態で分を指示する。この通常の動作モードにおいて、腕時計は、時と分をディスプレーする。
【００１８】
本発明の第１の変形態様によると、第２の動作モードは、電池３が寿命の終わりのしきい値に近づいているということに必ずしも関連していない。実際に、この変形態様において、第２の動作モードは、腕時計１の制御手段２７のアクションないし動作を通して腕時計１の着用者が開始することができる。この制御手段２７は、例えば、腕時計１の竜頭ステム２７であることができる。このように、腕時計の着用者は、ステム２７を押したり、ステム２７を引いたりすることによって、第２の動作モードを開始することができる。この変形態様によると、ユーザーの要求に応じて、ステム２７を単に押すことによって、時針９は、スライディングする針となり、分針は秒を指示する。時間がスライディングする形態で指示されると、分針１１が現状秒を指示していてもユーザーは正確な時間を非常に正確にわかる。所定の時間の後に、針は再び時と分を指示する。このように、所定の時間の後に、動作モードを通常の動作モードである第１の動作モードに自動的に変わるように構成することができる。代わりに、腕時計１は、ユーザーによって実行されるアクションを通して第１の動作モードに戻るようにすることができる。例えば、腕時計１の着用者が再び制御手段２７を操作するようにすることができる。この別のアクションは、第２の動作モードをアクチュエートするために実行されたアクションとは逆のアクション、例えば、竜頭ステムを引かずに竜頭ステムを押すアクション、とすることができる。
【００１９】
本発明の第２の変形態様によると、第２の動作モードのアクティブ化は、ユーザーが実行したアクションとは関連していない。この変形態様において、動作モードを第２の動作モードに変える時点は、電池３の寿命の終わりの検出にリンクされる。電池３の寿命の終わりが検出されると、ユーザーに追加情報を提供するために針の通常の動作を変えることができ、この情報をそのユーザーが、電池３の寿命の終わりを指示するものとして解釈することができる。すなわち、第１の動作モードから第２の動作モードへと腕時計１の状態が変わる。ここでも、第１の動作モードは、通常の動作モードに対応しており、第２の動作モードは、別の動作モード、すなわち、この場合は電池寿命の終わりの動作モード、に対応している。
【００２０】
例えば、具体的には、この電池寿命の終わりの動作モードでは、時針９は、スライディングする形態で動作し、分針１１は、秒針になり、所定の時間間隔ごとにジャンピングする。この時間間隔は、典型的には、１秒よりも大きく、例えば、２、３、４又は５秒、又はさらに大きい。また、電池３の寿命の終わりが近づくにしたがって、この時間間隔を徐々に増加させることができる。例えば、いくつかのしきい値を定めてモニタリング回路１５内に保存することができる。第１のしきい値を越えると、時間間隔は２秒になり、第３のしきい値を越えると、時間間隔は３秒になり、これ以降も同様である。
【００２１】
第３の変形態様によると、電池３の寿命の終わりが近づくにしたがって、時針９及び分針１１は、時間のスライディングするディスプレーにおいて重なり合うようになる。第４の変形態様によると、電池寿命の終わりの動作モードにおいて、分針１１は、５分のジャンピングをして進むように構成するようにすることができる。
【００２２】
上記のように、電子竜頭と呼ばれる機械的な接続がない竜頭によって針を独立に駆動させる場合、このことは、機能をオンデマンドで動作させディスプレーすることに関して多くの可能性を与える。針が互いに独立している時／分の運動において可能ないくつかの動作が上に記載されている。他の変形態様も想到することができる。例えば、日付を指示することができる。具体的には、一方の針、例えば、分針１１が、日を指示し、他方の針、例えば、時針が、月を指示することができる。また、分針１１が日を指示して、時針９がスライディングする形態で動作することができる。
【００２３】
また、本発明の範囲から逸脱せずに、上で説明した構成についての他の変形態様を想到することができる。例えば、第１の動作モードにおいて、上で説明した動作モードとは異なる形態で針を動作させることができる。
【符号の説明】
【００２４】
１  計時器
３  パワー源
５  マイクロプロセッサー
７、８  モーター
９  時針
１１  分針
１５  モニタリング回路
１７  コンパレーター
１９  特殊回路
２１、２３  抵抗
２５  接続ノード
２７  ステム
Ｔ  接地
【図１】
2018049006.tif 000003